(57)【特許請求の範囲】
【請求項１】
一方の面に複数の発光体が配設された矩形の発光基板と、該発光基板が固定された台座部とを備え、
前記発光基板は、相対向する二辺に沿って貫通孔がそれぞれ複数個づつ形成され、該貫通孔に挿通されて前記台座部に固定された挿通部材によって前記台座部へ配置されており、
前記貫通孔は、前記挿通部材の断面より若干大きな形状に形成された固定貫通孔と、前記二辺に沿う方向へ長手方向を向けた長孔形状に形成され前記挿通部材が遊挿可能に形成された長孔貫通孔とが、設けられると共に、
前記挿通部材が挿通された固定貫通孔は、前記二辺にそれぞれ１個づつ、且つ前記発光基板の隣り合う二隅に設けられていることを特徴とする情報表示装置。
【請求項２】
前記固定貫通孔は前記発光基板の四隅にそれぞれ１個づつ形成され、
前記挿通部材は、前記二辺にそれぞれ１個づつ挿通され、且つ前記発光基板の隣り合う二隅にそれぞれ設けられた固定貫通孔にのみ挿通されていることを特徴とする請求項１に記載の情報表示装置。
【請求項３】
前記台座部には、互いの一辺を相対させた２枚の前記発光基板が隣接して併設され、
該各発光基板は、前記相対する一辺の両端に位置する二隅に各々形成された各固定貫通孔に、前記挿通部材がそれぞれ挿通されていることを特徴とする請求項１又は２に記載の情報表示装置。
【発明の詳細な説明】
【技術分野】
【０００１】
本発明は、複数の発光体が配設された発光基板を備える情報表示装置に関するものである。
【背景技術】
【０００２】
従来、道路の上方や脇などに設置される情報表示装置には種々のものが用いられており、その一例としては、ＬＥＤなどを発光基板の一方の面に複数配設させて実装させ、これらＬＥＤの点灯と消灯とを組み合わせて前記発光基板に文字や記号などの情報を表示させる情報表示装置等があり、このような情報表示装置について種々の発明が開示されている。
【０００３】
例えば特許文献１には、一定ピッチで複数の発光ダイオードが取り付けられたプリント基板を有する発光ダイオード表示ユニットにおいて、リフレクタに上記発光ダイオードのピッチと同様なピッチで収納孔を設け、上記収納孔内に上記発光ダイオードを収納したことを特徴とする発光ダイオード表示ユニット、が開示されている。
【先行技術文献】
【特許文献】
【０００４】
【特許文献１】特開平８−２４８９００号公報
【発明の概要】
【発明が解決しようとする課題】
【０００５】
特許文献１に示される発光ダイオード表示ユニットは、リフレクタに設けた収納孔に発光ダイオードを収納させ、プリント基板に取り付けられた発光ダイオードのピッチのずれ等を矯正させて表示品質を良好なものとしているが、熱による部材膨張などに対しては前記リフレクタ自体が変形するため効果が小さくなるという問題が懸念される。
【０００６】
本発明は、発光体からの発熱や、寒暖の差などにより、部材の熱膨張が生じても、表示品質が良好な情報表示装置を提供するものである。
【課題を解決するための手段】
【０００７】
上記目的を達成するため、本発明は以下のような構成としている。
すなわち本発明に係る情報表示装置は、一方の面に複数の発光体が配設された矩形の発光基板と、該発光基板が固定された台座部とを備え、
前記発光基板は、相対向する二辺に沿って貫通孔がそれぞれ複数個づつ形成され、該貫通孔に挿通されて前記台座部に固定された挿通部材によって前記台座部へ配置されており、
前記貫通孔は、前記挿通部材の断面より若干大きな形状に形成された固定貫通孔と、前記二辺に沿う方向へ長手方向を向けた長孔形状に形成され前記挿通部材が遊挿可能に形成された長孔貫通孔とが、設けられると共に、
前記挿通部材が挿通された固定貫通孔は、前記二辺にそれぞれ１個づつ、且つ前記発光基板の隣り合う二隅に設けられていることを特徴としている。
【０００８】
本発明に係る情報表示装置によれば、一方の面に複数の発光体を配設させた矩形の発光基板と、この発光基板を固定させた台座部とを備え、
前記発光基板は、相対向する二辺に沿って貫通孔をそれぞれ複数個づつ形成させ、この貫通孔に挿通させて前記台座部に固定させた挿通部材によって前記台座部へ配置させるので、前記発光基板を前記台座部の所定の位置へ容易に配置させて固定でき、前記複数の発光体の点灯と消灯とを組み合わせて、文字や図形などの表示を表すことができる。
また、前記貫通孔は、前記挿通部材の断面より若干大きな形状に形成させた固定貫通孔と、前記二辺に沿う方向へ長手方向を向けた長孔形状に形成させ前記挿通部材を遊挿可能に形成させた長孔貫通孔とを、設けると共に、
前記挿通部材を挿通させた固定貫通孔を、前記二辺にそれぞれ１個づつ、且つ前記発光基板の隣り合う二隅に設けるので、前記発光基板の隣り合う二隅に設けられた各固定貫通孔に挿通部材を挿通させて、前記発光基板を前記台座部の所定の位置へ容易に配置できる。そして、発熱や寒暖の差などによる前記発光基板の膨張・収縮が生じても、前記挿通部材が前記長孔貫通孔の縁に当接するまで熱膨張・収縮が可能となされ、熱膨張・収縮に伴う前記発光基板の歪みを抑制でき、前記各発光体による表示の品質を良好にできる。
【０００９】
また、前記固定貫通孔を前記発光基板の四隅にそれぞれ１個づつ形成させ、
前記挿通部材を、前記二辺にそれぞれ１個づつ挿通させ、且つ前記発光基板の隣り合う二隅にそれぞれ設けた固定貫通孔にのみ挿通させれば、前記発光基板の位置決めのために前記挿通部材を挿通させる固定貫通孔の場所を、前記二辺のどちらか一方の端を選択して設けることができるので、台座部の形状などに応じて発光基板を好適に取り付け可能とできるので、好ましい。
【００１０】
また、前記台座部に、互いの一辺を相対させて２枚の前記発光基板を隣接して併設させ、
この各発光基板の、前記相対する一辺の両端に位置する二隅に各々形成させた各固定貫通孔に、前記挿通部材をそれぞれ挿通させれば、前記各発光基板がそれぞれ発熱や寒暖の差などにより膨張・収縮しても、これに伴う前記各発光基板の歪みが抑制できると共に、前記各発光基板間の隙間の大きさや相対位置の変化が抑制され、前記２枚の発光基板による表示の品質を良好にでき、好ましい。
【発明の効果】
【００１１】
本発明の情報表示装置によれば、発光基板の熱膨張・収縮が生じても、表示の品質を良好にできる。
【図面の簡単な説明】
【００１２】
【図１】本発明に係る情報表示装置の実施の一形態を示す、（イ）は正面図であり、（ロ）は側面図である。
【図２】図１のＡ−Ａ断面図である。
【図３】図１のＢ−Ｂ断面図である。
【図４】図１の発光基板を示す正面図である。
【図５】図１の発光基板に文字を表示させた状況を示す概要図である。
【図６】図１の発光基板に文字を表示させた状況を示す概要図である。
【図７】従来の情報表示装置の発光基板が熱膨張した状況を示す縦断面の概要図である。
【図８】図１の情報表示装置の発光基板が熱膨張した状況を示す縦断面の概要図である。
【発明を実施するための形態】
【００１３】
本発明の実施の形態を図面に基づき具体的に説明する。
図面において、１は情報表示装置である。
情報表示装置１は、周囲にアルミニウム製の押出形材からなる左右縦枠体３１及び上下横枠体３２が枠組みされて枠体３が形成され、枠体３の内部には４枚の発光基板４ａ、４ｂ、４ｃ、４ｄがそれぞれ上方から下方へ並設されて取り付けられている。
また、前記各発光基板４ａ〜４ｄの前面側には、ポリカーボネート樹脂からなる橙色透明な前面板５が配置されて前記枠体３に取り付けられている。
更に、情報表示装置１の背面側には、背面板６が配置されて前記枠体３に取り付けられており、前記各発光基板４ａ〜４ｄは、枠体３、前面板５、背面板６から形成される中空箱体の内部に収納されている。
【００１４】
前記各発光基板４ａ〜４ｄの前面側には、ＬＥＤ２が複数配設されて取り付けられており、前記発光基板４ａ、４ｂにおいては、前記各ＬＥＤ２が必要箇所で発光することで、前記発光基板４ａ、４ｂに文字や記号等の情報を可変的に表示することができるように形成されている。
また、前記発光基板４ｃと発光基板４ｄにおいては、前記ＬＥＤがそれぞれ「注」と「意」の文字形状を表す位置に配設され、前記の各文字を発光表示できるように形成されている。
【００１５】
前記左右縦枠体３１は断面Ｌ字型で中空のボックス形状で、断面Ｌ字型の縦辺と横辺とを分割するリブ３１１が配設されることで、中空部が側面側の中空部３１２及び前面側の中空部３１３の二つに分割されている。
該ボックス形状により左右縦枠体３１は高い剛性が確保されている。
前記中空部３１３の背面側には、断面がクランク形状に形成されたアルミニウム製の押出形材からなる取付部材３３が設けられ、取付部材３３は前側板３３１と板形状の台座部３３２とが前後に間隔をおいて配置され、前側板３３１と台座部３３２とが縦板３３３により連結されて一体となされたものである。前記中空部３１３と前側板３３１との間に前面板５が挟まれてビスＢ１によりビス止めされることで前面板５が左右縦枠体３１に固定される。
前記取付部材３３は、枠体３の左右に１本づつ備わる各左右縦枠体３１にそれぞれ１本づつ固定されている。
【００１６】
更に、取付部材３３の台座部３３２に、ＬＥＤ２が取り付けられた各発光基板４ａ〜４ｄが取り付けられる。具体的には、前記発光基板４ａ〜４ｄには前面から後面に至る貫通孔４２がそれぞれ複数形成され、この貫通孔４２に挿通されたビスＢ３が前記台座部３３２へ螺結され、各発光基板４ａ〜４ｄがそれぞれ台座部３３２に取り付けられる。
各発光基板４ａ〜４ｄは、左右縦枠体３１に１本づつ固定された２本の取付部材３３間に、それぞれ架け渡されて固定されている。
【００１７】
また、上下方向に並設された前記発光基板４ｂと発光基板４ｃとの間と、発光基板４ｃと４ｄとの間には、それぞれ平板形状の遮蔽板７が前記発光基板４ｃ、４ｄに並設されて、前記台座部３３２に取り付けられている。前記遮蔽板７は、前記各発光基板４ａ〜４ｄと同様に、２本の台座部３３２間に架け渡されて、ビスＢ３によりビス止めされている
【００１８】
また、背面板６は、左右縦枠体３１と上下横枠体３２とにビス２によりビス止めされて、固定されている。
【００１９】
図４は図１の発光基板を示す正面図であり、図５は図１の発光基板に文字を表示させた状況を示す概要図であり、図６は図１の発光基板に文字を表示させた状況を示す概要図である。
図４の（イ）は発光基板４ａを示し、（ロ）は発光基板４ｂを示している。
本実施形態の発光基板４ａ、４ｂはそれぞれ同一の矩形形状に形成されており、上下方向に長い縦長の長方形に形成されている。そして、その前面にＬＥＤ２が縦方向と横方向へそれぞれ配設されて取り付けられている。
前記発光基板４ａ、４ｂにそれぞれ配置されたＬＥＤ２は、必要箇所で選択的に発光させることで予め定められた文字や図形等を表示可能に形成されており、一例として図５、６に示すように、「走行」や「カーブ」などの文字を、前記発光基板４ａ、４ｂの前面側へ可変的に発光表示可能に形成されている。
尚、本実施形態において、ＬＥＤ２の全体的な配置や個数は発光基板４ａと４ｂとで異なっているが、上下に隣接して配置されたＬＥＤ２の間隔や、左右に隣接して配置されたＬＥＤ２の間隔は、発光基板４ａと発光基板４ｂとで同じ大きさに設けられて、所々にＬＥＤ２が設けられていない空所が有り、それらの空所の位置が発光基板４ａと発光基板４ｂとで異なっているのみである。また、図６に示すように、前記発光基板４ａの最も下側に取り付けられたＬＥＤ２と、前記発光基板４ｂの最も上側に取り付けられたＬＥＤ２との上下の間隔の大きさＸ１は、各発光基板４ａ、４ｂにおいて、上下に隣接して配置されたＬＥＤ２間の上下の間隔Ｘ２と等しくなるように設けられている。
【００２０】
各発光基板４ａ、４ｂにおいて、それぞれ左右に位置する２個の縦辺４１には、それぞれ縦辺に沿うように、前記貫通孔４２が複数形成されている。この貫通孔４２は、前記発光基板４ａと発光基板４ｂとで、それぞれ同じ位置に同じ形状の貫通孔４２が形成されており、各々の２個の縦辺４１に、丸孔形状の固定貫通孔４２１と、長孔形状の長孔貫通孔４２２とがそれぞれ形成されている。
具体的には、前記固定貫通孔４２１は発光基板４ａ、４ｂの四隅にそれぞれ１個づつ合計４個づつ形成されている。
そして前記長孔貫通孔４２２は、縦辺４１に沿う上下方向へ長孔の長手方向を向けて、各縦辺４１に沿ってそれぞれ３個づつ合計６個づつ形成されている。
各縦辺４１に沿ってそれぞれ３個づつ形成される前記長孔貫通孔４２２は、各縦辺４１の上端付近及び下端付近にそれぞれ形成された２個の前記固定貫通孔４２１の間に等間隔に配置され、２個の固定貫通孔４２１と３個の長孔貫通孔４２２とが縦辺４１に沿って直線状に列設されるように形成されている。
即ち、各発光基板４ａ、４ｂの各々の縦辺４１に沿って、上方より順番に固定貫通孔４２１ａ、長孔貫通孔４２２ａ、４２２ｂ、４２２ｃ、固定貫通孔４２１ｂが一列に配置されてそれぞれ形成されている。
【００２１】
発光基板４ａ、４ｂに形成された前記各固定貫通孔４２１は、前記ビスＢ３の雄ねじ部分より若干大きな丸孔形状に形成されている。
これは、台座部３３２に螺結された前記ビスＢ３が挿通された固定貫通孔４２１の形成位置において、前記各発光基板４ａ、４ｂが台座部３３２に対して、上下左右のいずれの方向へも位置ずれせずに定着されると共に、挿通に支障のない程度の径で設けられている。
また、前記各長孔貫通孔４２２は、長孔の長手方向が上下へ向けられ、左右の幅方向の大きさが前記固定貫通孔４２１の径と同じ大きさに形成されており、挿入された前記ビスＢ３が上下方向へ遊動可能に設けられている。
これは、台座部３３２に螺結された前記ビスＢ３が挿通された長孔貫通孔４２２の形成位置において、前記各発光基板４ａ、４ｂが台座部３３２に対して、上下方向へ位置ずれ可能に設けられている。
【００２２】
本実施形態の発光基板４ａにおいて、各縦辺４１にそれぞれ形成された、長孔貫通孔４２２ａ、４２２ｂと、固定貫通孔４２１ｂとに、前記ビスＢ３が挿通されて台座部３３２へ螺結されている。
このように、発光基板４ａの四隅にそれぞれ形成された４個の固定貫通孔４２１のうち、下方の二隅に形成された固定貫通孔４２１ｂへビスＢ３が挿通されることで、ＬＥＤ２の点灯による発熱や気温の変化などによって発光基板４ａが膨張・収縮したときに、発光基板４ａは台座部３３２に対して、その下辺における位置ずれが抑制される。
【００２３】
また、各縦辺４１に沿って形成された長孔貫通孔４２２ａ、４２２ｂにビスＢ３が挿通されて台座部３３２へ螺結されることで、発光基板４ａが台座部３３２へ安定的に取り付けられているが、長孔貫通孔４２２ａ、４２２ｂに挿入されたビスＢ３は、組み立ての際に、上下方向に長い長孔形状の長孔貫通孔４２２ａ、４２２ｂの縦方向中央付近に挿入されるように設けられている。上記のように構成することで、ＬＥＤ２の点灯による発熱や気温の変化などによって発光基板４ａが膨張・収縮したときに、前記ビスＢ３が前記長孔貫通孔４２２ａ、４２２ｂの縁に当接するまで発光基板４ａの膨張・収縮が可能となされ、膨張・収縮に伴う前記発光基板４ａの歪みの発生が抑制されるようになされている。
【００２４】
上記のように発光基板４ａは、下方の二隅に形成された固定貫通孔４２１ｂへビスＢ３を挿通させ、且つ他のビスＢ３を上下方向に長い長孔貫通孔４２２へのみ挿通させることで、発光基板４ａの膨張、収縮に伴う台座部３３２に対する下辺付近の位置ずれを抑制させると共に、発光基板４ａの上下方向への膨張、収縮の変形が阻害されないように設けられている。
即ち、発光基板４ａは、左右の各縦辺４１の下端付近で台座部３３２へ定着され、その上方で上下への位置ずれ可能に支持されている。
【００２５】
本実施形態の発光基板４ｂは、その上辺を前記発光基板４ａの下辺に相対向させて、発光基板４ａの下方に隣接して併設されており、各縦辺４１にそれぞれ形成された、固定貫通孔４２１ａと、長孔貫通孔４２２ｂ、４２２ｃとに、前記ビスＢ３が挿通されて台座部３３２へ螺結されている。
このように、発光基板４ｂの四隅にそれぞれ形成された４個の固定貫通孔４２１のうち、上方の二隅に形成された固定貫通孔４２１ａへビスＢ３が挿通されることで、発光基板４ｂが膨張・収縮したときに、発光基板４ｂは台座部３３２に対して、その上辺における位置ずれが抑制される。
【００２６】
また、長孔貫通孔４２２ｂ、４２２ｃに挿入されたビスＢ３は、組み立ての際に、上下方向に長い長孔形状の長孔貫通孔４２２ｂ、４２２ｃの縦方向中央付近に挿入されるように設けられており、発光基板４ｂが膨張・収縮したときに、前記ビスＢ３が前記長孔貫通孔４２２ｂ、４２２ｃの縁に当接するまで発光基板４ｂが膨張・収縮が可能となされ、膨張・収縮に伴う前記発光基板４ｂの歪みが抑制されるようになされている。
尚、発光基板４ｂと、その下方に配置された遮蔽板７との間には隙間が設けてあり、発光基板４ｂが膨張して下方へ向かって伸びたときに、遮蔽板７へ接触しないように設けられている。
【００２７】
上記のように発光基板４ｂは、上方の二隅に形成された固定貫通孔４２１ａへビスＢ３を挿通させ、且つ他のビスＢ３を上下方向に長い長孔貫通孔４２２へのみ挿通させることで、発光基板４ｂの膨張、収縮に伴う台座部３３２に対する上辺付近の位置ずれを抑制させると共に、発光基板４ｂの下方への膨張、収縮の変形が阻害されないように設けられている。
即ち、発光基板４ｂは、左右の各縦辺４１の上端付近で台座部３３２へ定着され、その下方で上下への位置ずれ可能に支持されている。
【００２８】
図７は従来の情報表示装置の発光基板が熱膨張した状況を示す縦断面の概要図である。
従来の情報表示装置においては、複数のＬＥＤ２が配設されて取り付けられた発光基板４Ｅに丸孔形状の貫通孔が複数形成され、この貫通孔にそれぞれ挿通されたビスＢ３などによって台座部３３２などの部材へビス止めされていた。このため、発光基板４Ｅへ熱による膨張が生じたとき、前記発光基板４Ｅは前記各貫通孔の形成位置で台座部３３２へ定着され、これらの間で歪むように変形していた。そして、発光基板４Ｅに取り付けられた前記各ＬＥＤ２は、発光基板４Ｅの歪みによって光軸の方向が変化し、各ＬＥＤ２の発光により表される表示の光の強さにむらが生じるなど、表示の品質が低下していた。
【００２９】
図８は図１の情報表示装置１の発光基板４ａが熱膨張した状況を示す縦断面の概要図である。尚、図８においては、ビスＢ３が挿通されていない貫通孔４２の図示を省略している。
本実施形態の発光基板４ａは、固定貫通孔４２１ｂに挿通されたビスＢ３により台座部３３２へ定着され、長孔貫通孔４２２ａ、４２２ｂに挿通されたビスＢ３により上下方向へ位置ずれ可能に支持されているため、発光基板４ａに熱による膨張が生じたときでも、発光基板４ａはビスＢ３が長孔貫通孔４２２ａ、４２２ｂの縁に当接するまで、ビスＢ３に支持された状態で上方へ向かって膨張し、その前面の歪みが抑制される。これにより、発光基板４ａの前面に配置された各ＬＥＤ２の発光によって表される表示の品質が良好に維持される。
【００３０】
また、図１の情報表示装置１の発光基板４ｂについても同様に、熱による膨張が生じたとき、ビスＢ３が長孔貫通孔４２２ｂ、４２２ｃの縁に当接するまで、ビスＢ３に支持された状態で下方へ向かって膨張し、その前面の歪みが抑制されるので、発光基板４ｂの前面に配置された各ＬＥＤ２の発光によって表される表示の品質が良好に維持される。
【００３１】
そして、各々の下辺と上辺とを相対させ、上下に隣接してそれぞれ併設された前記発光基板４ａ、４ｂにおいて、発光基板４ａは、四隅にそれぞれ形成された固定貫通孔４２１のうち、発光基板４ｂに相対させた下辺の両端に位置する固定貫通孔４２１ｂへのみビスＢ３を挿通させて、この位置で台座部３３２へ定着されている。
また、発光基板４ｂについても、四隅に形成された固定貫通孔４２１のうち、発光基板４ａへ相対させた上辺の両端に位置する固定貫通孔４２１ａへのみビスＢ３を挿通させて、この位置で台座部３３２へ定着されている。
上記のように発光基板４ａ、４ｂをそれぞれ台座部３３２へ定着させることで、各発光基板４ａ、４ｂが膨張して変形した場合に、発光基板４ａの下辺と発光基板４ｂの上辺における台座部３３２に対する位置ずれが共に抑制され、上記発光基板４ａ、４ｂに表される表示の位置ずれが低減して、表示の品質が良好になされる。
【００３２】
これは特に図６に示される実施形態のように、各ＬＥＤ２によって表される表示が発光基板４ａ、４ｂに跨がって形成されるときに有効である。
図６の実施形態においては、各発光基板４ａ、４ｂの表示が組み合わされて「カーブ」の３文字が表されているが、この中の「ー」の長音符号については、発光基板４ａ、４ｂに跨がって表されるように形成されている。
そして、前記発光基板４ａの最も下側に取り付けられたＬＥＤ２と、前記発光基板４ｂの最も上側に取り付けられたＬＥＤ２との上下の間隔の大きさＸ１を、各発光基板４ａ、４ｂにおいて、上下に隣接して配置されたＬＥＤ２間の上下の間隔Ｘ２と等しくなるように設けることで、各発光基板４ａ、４ｂに跨がって表される表示の一体感を損なわないように構成させている。
前記の「ー」の長音符号表示のように、隣接して併設させた２枚の発光基板４ａ、４ｂに跨がらせて一つの表示を一体的に表すときに、発光基板４ａ、４ｂのそれぞれ相対する一辺に位置ずれが生じて、発光基板４ａ、４ｂ間の隙間の大きさや相対位置が変化した場合、前記一つの表示の形状が歪んで表され、その一体感が損なわれて観者に見苦しい印象を与えるが、このような問題の発生が抑制される。
【００３３】
本実施形態の情報表示装置１において、各発光基板４ａ、４ｂは、それぞれ形成された貫通孔４２にビスＢ３を挿通させて台座部３３２へ固定されているが、貫通孔４２へ挿通させる部材はビスに限るものではなく、貫通孔４２に挿通可能な挿通部材を適宜用いることができる。例えば、円柱形状や多角柱形状に形成され台座部３３２へ固定可能なピンを用いてもよく、台座部３３２に一体的に設けられる突部を形成させて前記貫通孔４へ挿通させてもよく、その他の挿通部材を用いても良い。
【符号の説明】
【００３４】
１    情報表示装置
２    ＬＥＤ
３    枠体
３１  左右縦枠体
３２  上下横枠体
３３  取付部材
３１１  リブ
３１２  中空部
３１３  中空部
３３１  前板部
３３２  台座部
３３３  縦板
４ａ、４ｂ、４ｃ、４ｄ  発光基板
４１  縦辺
４２  貫通孔
５    前面板
６    背面板
７    遮蔽板
Ｂ１、Ｂ２、Ｂ３  ビス
【図１】
0005690212.tif 000002
【図２】
0005690212.tif 000003
【図３】
0005690212.tif 000004
【図４】
0005690212.tif 000005
【図５】
0005690212.tif 000006
【図６】
0005690212.tif 000007
【図７】
0005690212.tif 000008
【図８】
0005690212.tif 000009